(57)【要約】【課題】上ケースにストッパーが一体に形成されている収納ケースにおいて、ストッパーによるディスクカートリッジの係合保持力のばらつきを解消する。上下ケースの組み付け強度を向上させながら、上下ケースの組み付けを簡便化する。【解決手段】下ケース８に上ケース９をスライド装着して、上横側壁１８が下横側壁１５の内面側に位置する状態で両ケース８・９を係合連結し、上横側壁１８と下横側壁１５とを上下方向へは抜け外れ不能に凹凸係合させる。ディスクカートリッジを抜け止め保持するストッパー２０が、上横側壁１８の後部に一体に成形されている。ストッパー２０は、上横側壁１８に連続する片持ち梁状のアーム３７と、アーム３７の遊端に膨出形成された係合片３８とを備えている。ストッパー２０と隣接する下横側壁１５の内面には、アーム３７の中途部を受け止める突起２６を設けて、ストッパー２０の変形始端位置を突起２６で規定する。【選択図】図１
2005212829.tif 000002
【特許請求の範囲】
【請求項１】
下ケースと上ケースとで構成されて、前面側にディスクカートリッジの出入口が開口している収納ケースであって、
前記下ケースと前記上ケースとは、前記上ケースの上横側壁が前記下ケースの下横側壁の内面側に位置する状態で互いに係合連結されて、前記上横側壁と前記下横側壁とが上下方向へは抜け外れ不能に凹凸係合しており、
ディスクカートリッジを装填した状態で抜け止め状に保持するためのストッパーを有し、このストッパーが、前記上横側壁の後部に一体成形されており、
前記ストッパーは、前記上横側壁に連続する片持ち梁状のアームと、前記アームの遊端内面に膨出形成された係合片とを備えており、
前記ストッパーと隣接する前記下横側壁の内面には、弾性変形する前記アームの中途部を受け止めて、前記ストッパーの変形始端位置を規定する突起が設けられていることを特徴とするディスクカートリッジ用の収納ケース。
【請求項２】
前記ストッパーの前記アームが、前記上横側壁に連続する広幅のアーム基部と、前記アーム基部より幅狭で前記上横側壁よりケース内方へ突出する弾性アーム部とを備えており、
前記アーム基部と対向する位置に、前記突起が配されている請求項１記載のディスクカートリッジ用の収納ケース。
【請求項３】
前記下ケースが、これの底壁と、前記底壁の左右端縁に沿って上向きに突設された前記下横側壁と、前記底壁の後端縁に沿って上向きに突設された下後側壁とを含み、
前記上ケースが、これの天壁と、前記天壁の左右端縁に沿って下向きに突設された上横側壁と、前記天壁の後端縁に沿って下向きに突設された上後側壁とを含み、
前記下横側壁が、前記底壁から起立する下第１壁と、前記下第１壁からケース内方へ折れ曲がる下第２壁と、前記下第２壁から起立する下第３壁とで断面クランク状に形成されており、
前記下第１壁の内面側に、前記下側壁と協同して前記上横側壁を内外方向から挟み保持するガイドリブが突設されており、
前記上側横壁が、前記天壁から下向きに突設されて、前記下第３壁および前記ガイドリブの内面に沿って前後方向へ伸びる上第１壁と、前記上第１壁の上下中途部から外向きに突設されて前記下第２壁の下方に係合する上第２壁と、前記上第１壁の上下中途部から下向きに突設されて、前記下第１壁、下第２壁およびガイドリブで囲まれる溝に係合する上第３壁とを備えており、
前記ストッパーが、前記上第１壁の後壁部分に連続して鋳抜き形成されている請求項１または２記載のディスクカートリッジ用の収納ケース。
【請求項４】
前記下横側壁と前記上横側壁との摺接面の前部寄りには、互いに係合して前記上下ケースの前後方向の分離スライドを規制する第１係合手段が設けられており、
前記下後側壁と前記上後側壁との対向面には、互いに係合して前記上下ケースの上下方向の分離を規制する第２係合手段が設けられている請求項１または２または３記載のディスクカートリッジ用の収納ケース。
【発明の詳細な説明】
【技術分野】
【０００１】
本発明は、光磁気ディスクに代表されるディスクカートリッジを収納するための収納ケース、なかでも下半側の下ケースと上半側の上ケースとを接合してブックケース状に形成した収納ケースを対象とする。
【背景技術】
【０００２】
収納ケースを下ケースと上ケースとで構成し、両ケースのいずれか一方の横側壁内面に、ディスクカートリッジを係合保持するためのストッパーを設けることは公知である（特許文献１、２参照）。特許文献１および特許文献２の収納ケースにおいては、それぞれ下ケースの横側壁内面にストッパーを一体に形成している。本発明に係る収納ケースにおいては、上ケースの上横側壁、および下ケースの下横側壁のそれぞれを断面クランク状に形成して、下横側壁が内側に位置する状態で上下ケースを前後方向にスライド接合するが、この種のケース構造は本出願人の出願に係る特許文献３に公知である。
【０００３】
【特許文献１】特許第３０８２９０４号公報（段落番号０００７、図３）
【特許文献２】特開２００１−２７０５８６号公報（段落番号００４４、図１９）
【特許文献３】特開２００１−１２２３７６号公報（段落番号００１３、図１）
【発明の開示】
【発明が解決しようとする課題】
【０００４】
特許文献１、２のように、下ケースの横側壁の内面にストッパーを一体に形成した収納ケースによれば、ストッパーを独立した部品で形成する場合に比べて、部品点数を削減できるうえ、その組み付けの手間も省くことができる。しかし、特許文献１の収納ケースでは、下横側壁を内外二重の側壁で形成し、内側壁と底壁との内隅部分にストッパーを一体に形成するので、ストッパー自体を弾性変形させるのが難しく、したがってディスクカートリッジを出し入れするときの抵抗が大きくなる。
【０００５】
その点、特許文献２の収納ケースでは、ストッパーが片持ち梁状に形成してあるので、ディスクカートリッジを出し入れするときの摺接抵抗を小さくできる。問題は、凸字状に折れ曲がる薄い板状アームでストッパーを構成しているので、成形条件の僅かな違いでストッパーの形状や寸法にばらつきを生じ、これらのばらつきによってストッパーの弾性力（変形応力）が変化しやすい点にある。とくに、ストッパーの基端付近における形状や寸法のばらつきは、弾性力を大きく左右するので、ストッパーによるディスクカートリッジの保持力にばらつきを生じる。
【０００６】
上下の横側壁をそれぞれ断面クランク状に形成した特許文献３の収納ケースにおいては、下ケースの底壁内面にガイドリブを設け、このガイドリブと下横側壁とで上横側壁の内倒れを規制している。こうした収納ケースにおいて、ケース内方に位置する上横側壁にストッパーが一体に形成されていると、先の収納ケースと同様に部品点数を削減できる。しかし、上ケースを下ケースに対してスライド装填する際に、ストッパーが下ケースの底壁に設けたガイドリブと干渉するので、上下ケースの組み立てが困難になる。
【０００７】
本発明の目的は、ストッパーによるディスクカートリッジの係合保持力のばらつきを解消して、常に適正にディスクカートリッジを係合保持できる収納ケースを提供することにある。本発明の目的は、上ケースにストッパーが一体に形成された収納ケースにおいて、組み付け状態における両ケースの組み付け強度を向上して、落下衝撃などによって両ケースが分離するのを確実に防止しながら、上ケースと下ケースとの組み付けが簡便に行えるようにすることにある。
【課題を解決するための手段】
【０００８】
本発明のディスクカートリッジ用の収納ケースは、図２および図３に示すごとく、下ケース８と上ケース９とで構成されて、前面側にディスクカートリッジの出入口１０が開口している。下ケース８と上ケース９とは、上ケース９の上横側壁１８が下ケース８の下横側壁１５の内面側に位置する状態で互いに係合連結されて、上横側壁１８と下横側壁１５とが上下方向へは抜け外れ不能に凹凸係合している。収納ケース内に装填したディスクカートリッジを抜け止め状に保持するためのストッパー２０を有し、このストッパー２０は、上横側壁１８の後部に一体に成形されており、上横側壁１８に連続する片持ち梁状のアーム３７と、アーム３７の遊端内面に膨出形成される係合片３８とを備えている。かくして、ストッパー２０と隣接する下横側壁１５の内面には、図１に示すごとく弾性変形するアーム３７の中途部を受け止めて、ストッパー２０の変形始端位置を規定する突起２６が設けられていることを特徴とする（請求項１）。
【０００９】
ストッパー２０のアーム３７は、図７に示すごとく上横側壁１８に連続する広幅のアーム基部３７ａと、アーム基部３７ａより幅狭で上横側壁１８よりケース内方へ突出する弾性アーム部３７ｂとを備えており、アーム基部３７ａと対向する位置に前記突起２６が配されている（請求項２）。
【００１０】
下ケース８は、図３に示すごとく底壁１４と、底壁１４の左右端縁に沿って上向きに突設された下横側壁１５と、底壁１４の後端縁に沿って上向きに突設された下後側壁１６とを含む。上ケース９は、天壁１７と、天壁１７の左右端縁に沿って下向きに突設された上横側壁１８と、天壁１７の後端縁に沿って下向きに突設された上後側壁１９とを含む。
【００１１】
下横側壁１５は、図３および図４に示すごとく、底壁１４から起立する下第１壁２３と、下第１壁２３からケース内方へ折れ曲がる下第２壁２４と、下第２壁２４から起立する下第３壁２５とで断面クランク状に形成されている。下第１壁２３の内面側には、下横側壁１５と協同して上横側壁１８を内外に挟み保持するガイドリブ２８が突設されている。
【００１２】
上横側壁１８は、図４および図６に示すごとく天壁１７から下向きに突設されて、下第３壁２５およびガイドリブ２８の内面に沿って前後方向へ伸びる上第１壁３２と、上第１壁３２の上下中途部から外向きに突設されて、下第２壁２４に係合する上第２壁３３と、上第１壁３２の上下中途部から下向きに突設されて、下第１壁２３、下第２壁２４、およびガイドリブ２８で囲まれる溝２９に係合する上第３壁３４とを備えている。ストッパー２０は上第１壁３２の後壁部分に連続して鋳抜き形成されている（請求項３）。
【００１３】
下横側壁１５と上横側壁１８との摺接面の前部寄りには、互いに係合して上下ケース８・９の前後方向の分離スライドを規制する第１係合手段が設けられており、下後側壁１６と上後側壁１９との対向面には、互いに係合して上下ケース８・９の上下方向の分離を規制する第２係合手段が形成されている（請求項４）。
【発明の効果】
【００１４】
本発明の収納ケースでは、片持ち梁状のアーム３７と、アーム３７の遊端内面に膨出形成された係合片３８とでストッパー２０を構成し、下横側壁１５の内面に設けた突起２６でアーム３７の中途部を受け止めて、ストッパー２０の変形始端位置を突起２６で規定しているので、上横側壁１８と一体成形したストッパー２０の形状や寸法に僅かなばらつきがあっても、これらのばらつきに影響されることなく、弾性変形するアーム３７の前後方向の変形長さと、弾性変形し始める時のアーム３７の左右方向の変形位置とを突起２６で一定に揃えることができる。したがって、ストッパー２０の弾性力を一定にして、ディスクカートリッジを常に適正に係合保持できる収納ケースが得られる。
【００１５】
上横側壁１８が下横側壁１５の内面側に位置する状態で、下ケース８と上ケース９とを係合連結し、連結状態において上横側壁１８と下横側壁１５とが上下方向へは抜け外れ不能に凹凸係合するので、落下衝撃などによって両ケース８・９が分離するのをよく防止できる。内面側に位置する上横側壁１８にストッパー２０を一体に形成してあるので、上下ケース８・９をスライド連結する際に、ストッパー２０が下横側壁１５と接触干渉することもない（請求項１）。
【００１６】
広幅のアーム基部３７ａと、幅狭の弾性アーム部３７ｂとでアーム３７を構成し、アーム基部３７ａと対向する位置に突起２６を配置して、寸法や形状のばらつきの影響が現れにくい広幅のアーム基部３７ａを突起２６で受け止めると、ストッパー２０の変形始端位置をさらに厳密に規定できるので、ストッパー２０の弾性力のばらつきをさらに抑止して、収納ケースに装填したディスクカートリッジを、ストッパー２０で適正に抜け止め保持できる（請求項２）。
【００１７】
下横側壁１５が、下第１壁２３と、下第２壁２４と、下第３壁２５とで断面クランク状に形成されており、下第１壁２３の内面側にガイドリブ２８が突設された下ケース８によれば、下横側壁１５の断面係数を大きくでき、さらにガイドリブ２８で構造強度を向上して、下ケース８の剛性を向上できる。同様に、下第３壁２５およびガイドリブ２８の内面に沿う上第１壁３２と、下第２壁２４に係合する上第２壁３３と、溝２９に係合する下第３壁３４とで上横側壁１８が形成されていると、上横側壁１８の断面係数を大きくでき、その分だけ剛性に優れた上ケース９が得られる。
【００１８】
上下ケース８・９を組み付けた状態においては、上下の横側壁１５・１８が互いに係合しあって、両ケース８・９を上下方向へ抜け外れ不能に凹凸係合するので、組み付け状態における上下ケース８・９の組み付け強度を向上し、例えば落下衝撃などで両ケース８・９が分離するのを確実に防止できる。上第１壁３２の後壁部分に連続してストッパー２０が鋳抜き形成されていると、ストッパー２０をガイドリブ２８よりケース内方に位置させることができるので、ストッパー２０がガイドリブ２８と接触干渉するのを回避しながら、上下ケース８・９を相対スライドさせて組み付けることができる。したがって、ガイドリブ２８が設けてあるにもかかわらず、上下ケース８・９の組み付けを簡便に行って、収納ケースの組み立ての手間を省くことができる（請求項３）。
【００１９】
下横側壁１５と上横側壁１８との摺接面に設けた第１係合手段で、上下ケース８・９の前後方向の分離スライドを規制し、下後側壁１６と上後側壁１９との対向面に設けた第２係合手段で、上下ケース８・９の上下方向の分離を規制する収納ケースによれば、上下ケース８・９を前後にスライド連結操作して、第１係合手段の係合突起４１と係合凹部４２とを前後に係合し、同時に第２係合手段の係合外枠４３と係合内枠４４とを上下に係合するだけで組み立てを完了し、両ケース８・９を分離不能に固定できる（請求項４）。
【発明を実施するための最良の形態】
【００２０】
図１ないし図８は本発明に係るディスクカートリッジ用の収納ケースの実施例を示しており、図２に示すディスクカートリッジ（ミニディスク）を収納対象としている。ディスクカートリッジは、書き込み可能な光磁気ディスク１と、このディスク１を収容するカートリッジケース２とを有し、カートリッジケース２の一側に開口した信号読書窓３がシャッター４で開閉される。ディスクカートリッジは、ディスクドライブに対して指標５で示す向きに差し込み装填するが、収納ケースに対しても同様の向きに差し込み装填する。カートリッジケース２の装填始端側の下面両隅寄りには、位置決め用の凹部６が半円状に凹み形成されており、ケース底面とケース側面とに向かって開口している。
【００２１】
収納ケースは、それぞれプラスチック成形品からなる下ケース８と上ケース９とを接合して構成されており、前面側にディスクカートリッジの出入口１０が開口している。出入口１０の左右中央には、内部に収容したディスクカートリッジをつかむための切欠１１を有する。
【００２２】
図３において下ケース８は、底壁１４と、底壁１４の左右端縁に沿って上向きに突設された下横側壁１５・１５と、底壁１４の後端縁に沿って上向きに突設された下後側壁１６とを含む。上ケース９は、天壁１７と、天壁１７の左右端縁に沿って下向きに突設された上横側壁１８・１８と、天壁１７の後端縁に沿って下向きに突設された上後側壁１９とを含み、左右の上横側壁１８・１８の後端寄り部位に、ディスクカートリッジを抜け止め保持するためのストッパー２０・２０がそれぞれ一体に形成されている。
【００２３】
図３および図４において左右の各下横側壁１５は、後端部分を除いて、底壁１４から起立する下第１壁２３と、下第１壁２３の上部からケース内方へ折れ曲がる下第２壁２４と、下第２壁２４から起立する下第３壁２５とで断面クランク状に形成されている。各下横側壁１５の後端寄りの内面には、ストッパー２０を受け止める突起２６と、弾性変形するストッパー２０が接触干渉するのを避けるための逃げ凹部２７とが形成されている。
【００２４】
下横側壁１５の前端側には、下第１壁２３と協同して上横側壁１８を内外方向から挟み保持するためのガイドリブ２８が底壁１４上に突設されている。符号２９は、ガイドリブ２８と下第１壁２３と下第２壁２４との三者で形成される溝である。逃げ凹部２７を含む下横側壁１５の後端部分には、複数個のスロット３０を上面から所定深さで凹設して減肉化してある（図１参照）。下第１壁２３の内面には、前後に複数個の補強リブ３１が設けられている（図３参照）。
【００２５】
図３および図４において各上横側壁１８は、天壁１７から下向きに突設された上第１壁３２と、上第１壁３２の上下中途部から外向きに突設された上第２壁３３と、上第１壁３２の上下中途部から下向きに突設されて、前記溝２９に係合する断面逆Ｌ字状の上第３壁３４とを備えている（図６参照）。このうち上第３壁３４は、ガイドリブ２８と対応する部分に限って形成してあり、下第３壁２５とストッパー２０との間に下第２壁３３を設けてある。
【００２６】
図１および図７においてストッパー２０は、上横側壁１８から後ろ向きに連出された片持ち梁状のアーム３７と、アーム３７の遊後端の内面側に膨出形成した台形状の係合片３８とを備えており、上第１壁３２の後壁部分をスライドコアで鋳抜くことによって形成してある。
【００２７】
このように、ストッパー２０がスライドコアで鋳抜き形成されていると、アーム３７の形状をより正確に形成できる。ストッパー２０のアーム３７は、図７に示すごとく上横側壁１８に連続する上下広幅のアーム基部３７ａと、これよりも上下幅狭の弾性アーム部３７ｂとからなる。
【００２８】
自由状態における弾性アーム部３７ｂの大半は、図８に示すごとく上横側壁１８よりケース内方に突出している。したがって、ディスクカートリッジを収納ケースに装填すると、係合片３８がカートリッジケース２の横側面に接触し、図８の想像線で示すように弾性アーム部３７ｂがケース外側方へ弾性変形する。ディスクカートリッジをケース内奥まで完全に装填した図１の状態では、係合片３８が位置決め用の前記凹部６に落ち込み係合してディスクカートリッジが不用意に抜け出さないように保持する。
【００２９】
下ケース８に対して上ケース９は、前後方向へ差し込み係合することにより一体化できる。すなわち、上ケース９の上後側壁１８をこれの後端側から下ケース８の底壁前縁にあてがい、左右一対のガイドリブ２８で上第１壁３２を案内しながら上ケース９を下ケース８に差し込み操作し、上第２壁３３を下第２壁２４の下方にスライド係合する。
【００３０】
このとき、ストッパー２０はガイドリブ２８よりケース内方に位置しているので、ストッパー２０がガイドリブ２８と接触干渉することはない。したがって、上ケース９を単に後方へ差し込み装填するだけで上下ケース８・９を上下に分離しないよう係合連結できる。上ケース９の組み付けの容易化を図るために、上横側壁１８の後端には、図１に示すごとく斜めの係合案内面３５を形成してあり、上第２壁３３の後端にも同様の係合案内面３６を形成してある。
【００３１】
上下ケース８・９を分離不能に固定するために、下横側壁１５と上横側壁１８との摺接面の前部寄りには、互いに係合して上下ケース８・９の前後方向の分離スライドを規制する第１係合手段を設ける。さらに、下後側壁１６と上後側壁１９との対向面にも、互いに係合して上下ケース８・９の上下方向の分離を規制する第２係合手段を設ける。下横側壁１５と上横側壁１８とが、先に説明のとおり互いに係合していることも、上下ケース８・９の上下方向の分離を規制することに役立っている。
【００３２】
図２において第１係合手段は、上第３壁３４の外面に突設した左右一対の係合突起４１と、下第３壁２５に凹み形成した左右一対の係合凹部４２とを含み、係合突起４１が係合凹部４２に落ち込み係合することによって、上ケース９と下ケース８との前後方向の分離スライドを阻止している。
【００３３】
図３および図５において第２係合手段は、下後側壁１６の上端から内向きに突出形成した左右方向に長い門形の係合外枠４３と、上後側壁１９の外面に突出形成した左右方向に長い門形の係合内枠４４とを含み、係合内枠４４が係合外枠４３の内面に嵌まり込むことによって、上下ケース８・９が上下方向へ分離するのを阻止し、同時に両ケース８・９が左右方向へ相対移動するのを阻止している。係合外枠４３の上端面は、天壁１７の周縁で受け止められている。
【００３４】
上下ケース８・９を接合固定した状態において、ストッパー２０のアーム３７の中途部が突起２６で受け止められて、ケース内方へ向かって僅かに弾性変形している。具体的には、図７および図８に示すように、広幅のアーム基部３７ａの前後方向中央部分に突起２６が接触している。このように、アーム３７の中途部を突起２６で受け止めると、ストッパー２０の変形始端位置を突起２６で規定して、弾性変形するアーム３７の前後方向の変形長さと、アーム３７が弾性変形し始める時の左右方向の変形位置とを一定に揃えることができる。
【００３５】
したがって、上ケース９と一体に成形したストッパー２０の形状や寸法に僅かなばらつきがあっても、アーム３７がこれらのばらつきに影響されることなく一定の弾性力を発揮し、収納ケース内にディスクカートリッジを常に適正に係合保持できる。幅狭の弾性アーム部３７ｂに比べて、寸法や形状のばらつきの影響が現れにくい広幅のアーム基部３７ａを突起２６で受け止めることも、アーム３７これ全体の弾性力を一定にすることに寄与している。
【００３６】
上記の実施例では、ストッパー２０のアーム３７が上下幅の異なるアーム基部３７ａと弾性アーム部３７ｂとからなるものとしたが、アーム３７はアーム基部からアーム先端へ向かって先すぼまり状に形成してもよい。
【００３７】
前記突起２６はリブ状に形成して、アーム３７を突起２６で線接触状に受け止めてもよい。必要に応じて、アーム３７の外面に突起２６を設けておいて、これを下横側壁１５で受け止めてもよい。下横側壁１５と上横側壁１８とは、上下方向へ分離不能に凹凸係合する壁構造であれば、実施例以外の断面構造を採ることができる。
【図面の簡単な説明】
【００３８】
【図１】主にストッパー構造を示す要部の横断平面図
【図２】収納ケースの一部破断平面図
【図３】収納ケースの分解斜視図
【図４】図２におけるＡ−Ａ線断面図
【図５】図２におけるＢ−Ｂ線断面図
【図６】図２におけるＣ−Ｃ線断面図
【図７】図１におけるＤ−Ｄ線矢示図
【図８】主にストッパー構造の動きを説明する横断平面図
【符号の説明】
【００３９】
８  下ケース
９  上ケース
１０  出入口
１４  底壁
１５  下横側壁
１６  下後側壁
１７  天壁
１８  上横側壁
１９  上後側壁
２０  ストッパー
２３  下第１壁
２４  下第２壁
２５  下第３壁
２６  突起
２８  ガイドリブ
２９  溝
３２  上第１壁
３３  上第２壁
３４  上第３壁
３７  アーム
３７ａ  アーム基部
３７ｂ  弾性アーム部
３８  係合片
【図１】
2005212829.tif 000003
【図２】
2005212829.tif 000004
【図３】
2005212829.tif 000005
【図４】
2005212829.tif 000006
【図５】
2005212829.tif 000007
【図６】
2005212829.tif 000008
【図７】
2005212829.tif 000009
【図８】
2005212829.tif 000010